(57)【要約】      （修正有）【課題】筐体内の各部の機能の信頼性を確保すべく、筐体内の温度変化を的確に検出しうる電子機器を提供する。【解決手段】筐体の内面に熱を伝達可能に配置された発熱部３２と、前記筐体の内面における温度を検出する温度検出部４０とを備える。筐体は、前カバー４及び後カバー６を備え、前記発熱部３２からの熱は、前記後カバー６に伝達される。筐体は、プロジェクタユニット３０を内蔵し、前記発熱部３２は、前記プロジェクタユニット３０の投影用光源であり、前記温度検出部４０は、前記プロジェクタユニット３０の近傍に配置されている。【選択図】図４
2010091997.tif 000002
【特許請求の範囲】
【請求項１】
筐体の内面に対して熱を伝達可能に配置された発熱部と、
前記筐体の内面における温度を検出する温度検出部と
を備えることを特徴とする電子機器。
【請求項２】
前記筐体は、前カバー及び後カバーを備え、
前記発熱部からの前記熱は、前記前カバーに伝達されることを特徴とする請求項１記載の電子機器。
【請求項３】
前記筐体は、プロジェクタユニットを内蔵し、
前記発熱部は、前記プロジェクタユニットの投影用光源であり、
前記温度検出部は、前記プロジェクタユニットの近傍に配置されていることを特徴とする請求項１又は２記載の電子機器。
【請求項４】
前記筐体は、撮像ユニットを更に内蔵し、
前記撮像ユニットは、前記温度検出部の近傍に配置されていることを特徴とする請求項３記載の電子機器。
【請求項５】
前記温度検出部により検出された温度が第１の閾値以上である場合に、前記投影用光源の光量を下げるように制御する制御部を備えることを特徴とする請求項３又は４記載の電子機器。
【請求項６】
前記制御部は、前記温度検出部により検出された温度が第２の閾値以上である場合に、検出された温度に応じて前記撮像ユニットにおけるフォーカス量を補正するよう制御することを特徴とする請求項４記載の電子機器。
【発明の詳細な説明】
【技術分野】
【０００１】
本発明は、プロジェクタユニットを備えた電子機器に関するものである。
【背景技術】
【０００２】
従来、プロジェクタユニットを備える撮像装置に関し、画像の投影時において光源の発熱による装置内の温度上昇を防止するために、冷却ファンにより装置外へ排熱する技術が存在する (例えば、特許文献１参照)。
【特許文献１】特開２００７−２７１９１１号公報
【発明の開示】
【発明が解決しようとする課題】
【０００３】
しかしながら、冷却ファンによる放熱対策だけは十分でない場合があり、筐体内の各部の機能に影響を及ぼすおそれがある。
【０００４】
本発明の目的は、筐体内の各部の機能の信頼性を確保すべく、筐体内の温度変化を的確に検出しうる電子機器を提供することである。
【課題を解決するための手段】
【０００５】
本発明の電子機器は、筐体の内面に熱を伝達可能に配置された発熱部と、前記筐体の内面における温度を検出する温度検出部とを備える。
【発明の効果】
【０００６】
本発明の電子機器によれば、筐体内の温度を的確に検出することができる。
【発明を実施するための最良の形態】
【０００７】
以下、本発明の電子機器の第１の実施形態に係るプロジェクタ機能を有するカメラについて説明する。図１は、本実施形態に係るカメラの外観を示す斜視図である。カメラ２の筐体３は、アルミニウム板金等の金属からなる前カバー４及び後カバー６で構成され、前カバー４には、撮影窓８、プロジェクタ投影窓１０、フラッシュ光が射出されるフラッシュ窓１２が設けられている。
【０００８】
また、筐体３の上部には、電源スイッチ１４、レリーズ動作を指示するシャッタボタン１６、カメラ撮影を行う撮影モードとプロジェクタ投影を行うプロジェクタモードとを切り替えるモード切替ボタン１８、プロジェクタ投影時の投影画像のピント調整を行うための操作レバーであるプロジェクタフォーカスレバー２０等が設けられている。
【０００９】
図２は、カメラ２の背面図である。後カバー６には、撮影画像の表示、再生等を行う液晶ディスプレイ２２、液晶ディスプレイ２２に表示された撮影条件等を選択するマルチセレクタ等を備える操作ボタン２４が設けられている。
【００１０】
図３は、筐体３の内部に設けられている各ユニットの配置位置を概略的に示した正面図である。図３に示すように、筐体３の略中央には、投影用画像を投影するための投影光学系等(不図示)と投影用光源であるＬＥＤ３２を有するプロジェクタユニット３０が配置され、プロジェクタユニット３０のＬＥＤ３２の上部近傍には、温度センサ４０が配置されている。また、温度センサ４０の右側近傍には、被写体を撮像するための撮影光学系や撮像素子等(不図示)を備える撮像ユニット５０が配置され、プロジェクタユニット３０の左側には、プロジェクタユニット３０及び撮像ユニット５０に電力を供給する電池を収容する電池室６０が配置されている。
【００１１】
図４は、図３のＡ−Ａ断面図である。図４に示すように、プロジェクタユニット３０におけるＬＥＤ３２と温度センサ４０は、前カバー４の内面に略密着するように配置されており、温度センサ４０は前カバー４の内面温度を検出する。
【００１２】
次に、図５のブロック図を用いて、カメラ２のシステム構成について説明する。同図に示すように、カメラ２は、液晶ディスプレイ２２、上述したプロジェクタユニット３０、温度センサ４０、撮像ユニット５０、電源スイッチ１４、シャッタボタン１６、モード切替ボタン１８、操作ボタン２４等を含む操作部７０、画像データを記憶するＳＤカード等で構成されたメモリーカード８０、及び制御部１００を含んで構成されている。液晶ディスプレイ２２、温度センサ４０、操作部７０、メモリーカード８０については上述したため、以下、これら以外の各部について説明する。
【００１３】
プロジェクタユニット３０は、液晶パネル３１、ＬＥＤ３２、投影光学系３３、投影制御部３４を含んで構成される。液晶パネル３１は、ＬＣＯＳ等の反射型液晶パネルであり、投影用光学像の表示を行う。ＬＥＤ３２は、発光ダイオードで構成された投影用の光源であり、投影光学系３３は、投影用画像の光学像を投影する投影レンズである。
【００１４】
投影制御部３４は、制御部１００からの投影指示に応じて、所定の発光量でＬＥＤ３２を点灯させ、投影用画像データに応じて、液晶パネル３１に投影用画像を表示し、投影光学系３３を介して、投影用画像の光学像をプロジェクタ投影窓１０から投影する。
【００１５】
また、撮像ユニット５０は、撮像素子５１、撮影光学系５２、レンズ駆動部５３、撮像制御部５４を含んで構成される。撮像素子５１は、ＣＣＤやＣＭＯＳで構成され、被写体を撮像して撮像信号を出力する。撮影光学系５２は、フォーカスレンズやズームレンズを含んで構成され、レンズ駆動部５３は、撮影制御部５４からのフォーカス調節指示やズーム調節指示に基づいて、撮影光学系５２の所定のレンズを光軸方向に駆動させる。撮像制御部５４は、制御部１００からの指示に応じて、レンズ駆動部５３により撮影光学系５２を駆動し、撮像素子５１から出力された撮像信号に対して画像処理を行い、画像処理後の画像データを制御部１００に送出する。
【００１６】
制御部１００は、ＲＯＭ及びＲＡＭ等のメモリを含むＣＰＵで構成されており、制御部１００は、ＲＯＭに記憶されているプログラムを実行することにより各部を制御する。なお、本実施形態では、投影時における温度センサ４０の検出温度に応じて、プロジェクタユニット３０のＬＥＤ３２の光量を制御する。また、強制的に無限遠にピントを合わせる遠景撮影モードの設定が可能であり、筐体３内の温度上昇による撮影ユニット５０の遠景撮影モード時のピントのずれを補正する。尚、検出温度に対応する遠景撮影モード時のピントのずれ量は予めＲＯＭに記憶されているものとする。
【００１７】
図６は、本実施形態に係るカメラ２の投影処理を示す動作フロー図である。尚、図６の動作フローでは、モード切替ボタン１８を介したユーザ操作によりプロジェクタモードに切替えられているものとし、また、メモリーカード８０に記憶されている画像データを投影するものとする。
【００１８】
制御部１００は、メモリーカード８０から投影する画像データを読み出し(ステップＳ１１)、温度センサ４０により検出された温度が閾値Ａ以上であるか否かを判断する(ステップＳ１２)。制御部１００は、検出温度が閾値Ａ以上でないと判断した場合には(ステップＳ１２:Ｎ)、投影制御部３４を介して所定の発光量でＬＥＤ３２を点灯する(ステップＳ１３)。
【００１９】
制御部１００は、ステップＳ１１において読み出した画像データを投影制御部３４に送出する。投影制御部３４は、制御部１００から送出された画像データに基づいて、液晶パネル３１に投影用画像を表示し、投影光学系３３を介してその光学像をプロジェクタ窓１０から投影する(ステップＳ１４)。
【００２０】
また、制御部１００は、検出温度が閾値Ａ以上であり、閾値Ｂ(＞閾値Ａ)以上ではないと判断した場合(ステップＳ１２:Ｙ、ステップＳ１５:Ｎ)、投影制御部３４を介して、所定の発光量より所定量下げた発光量でＬＥＤ３２を点灯し(ステップＳ１６)、上述したステップＳ１４の画像投影処理を行う。
【００２１】
また、制御部１００は、検出温度が閾値Ｂ以上であると判断した場合(ステップＳ１２:Ｙ、ステップＳ１５:Ｙ)、投影制御部３４を介してＬＥＤ３２を消灯する(ステップＳ１７)。制御部１００は、操作部７０を介して画像の投影を終了する投影終了操作がユーザによってなされるまで上述したステップＳ１１以下の処理を行い(ステップＳ１８:Ｎ)、投影終了操作がなされた場合(ステップＳ１８:Ｙ)には投影処理を終了する。
【００２２】
次に、図７の動作フロー図を用いて、本実施形態に係るカメラ２の遠景撮影モードにおけるフォーカス調整処理を説明する。尚、図７の動作フローでは、モード切替ボタン１８を介したユーザ操作により撮影モードに切替えられているものとして説明する。
【００２３】
ユーザにより操作部７０を介して遠景撮影モードが選択された場合、制御部１００は、遠景撮影モードに移行し(ステップＳ２１:Ｙ)、温度センサ４０により検出された温度が所定の閾値以上であるか否か判断する(ステップＳ２２)。制御部１００は、検出温度が所定の閾値以上であると判断した場合には(ステップＳ２２:Ｙ)、検出温度に対応する遠景撮影モード時におけるピントのずれ量をＲＯＭから読み出す(ステップＳ２３)。
【００２４】
制御部１００は、読み出したピントのずれ量に基づいて、無限遠にピント調整するためのフォーカス調整量を補正し、補正したフォーカス調整量を撮影制御部５４に送出する。撮影制御部５４は、補正されたフォーカス調整量に従ってレンズ駆動部５３により撮影光学系５１を駆動する(ステップＳ２４)。
【００２５】
また、制御部１００は、検出温度が所定の閾値以上でないと判断した場合には(ステップＳ２２:Ｎ)、撮影制御部５４に対して無限遠にピント調整するフォーカス調整量を送出し、撮影制御部５４はそのフォーカス調整量に従ってレンズ駆動部５３により撮影光学系５１を駆動する(ステップＳ２５)。
【００２６】
なお、制御部１００は、ステップＳ２１において遠景撮影モードが選択されなかった場合には(ステップＳ２１:Ｎ)、撮影モードの状態で待機する。
【００２７】
上述した第１の実施形態では、ＬＥＤ３２が密着している前カバー４の温度を、ＬＥＤ３２の近傍に配置した温度センサ４０により検出することができるので、ＬＥＤ３２の熱による筐体内の温度変化を的確に検出することができ、筐体内の温度上昇が筐体内の各部の機能に影響を及ぼす前にＬＥＤ３２の発光を制御することができる。
【００２８】
また、筐体内の温度上昇が及ぼす影響として遠景撮影モード時のピントのずれが発生する場合であっても、温度センサ４０によって検出された温度に応じたピントのずれ量を補正することができる。
【００２９】
次に、本発明の電子機器の第２の実施形態について説明する。本実施形態の電子機器は、上述した第１の実施形態と同様のプロジェクタ機能を備えたカメラであり、本実施形態に係るカメラは、第１の実施形態に係るカメラと同様の構成を備える。以下、第１の実施形態と同じ構成については第１の実施形態と同じ符号を用い、第１の実施形態と異なる部分について説明する。
【００３０】
本実施形態に係るカメラ２は、予め特定の撮影距離を設定して撮影を行うマニュアル撮影モードの設定が可能であり、筐体３内の温度上昇による撮影ユニット５０のマニュアル撮影モード時のピントのずれを補正する。制御部１００のＲＯＭには、検出温度に対応するマニュアル撮影モード時のピントのずれ量が予め記憶されている。
【００３１】
以下、図８の動作フロー図を用いて、本実施形態に係るカメラ２のマニュアル撮影モードにおけるフォーカス調整処理を説明する。なお、図８の動作フローでは、モード切替ボタン１８を介したユーザ操作により撮影モードに切替えられているものとして説明する。
【００３２】
ユーザにより操作部７０を介してマニュアル撮影モードが選択された場合、制御部１００は、マニュアル撮影モードに移行し(ステップＳ３１:Ｙ)、温度センサ４０により検出された温度が所定の閾値以上であるか否か判断する(ステップＳ３２)。制御部１００は、検出温度が所定の閾値以上であると判断した場合には(ステップＳ３２:Ｙ)、検出温度に対応するマニュアル撮影モード時におけるピントのずれ量をＲＯＭから読み出す(ステップＳ３３)。
【００３３】
制御部１００は、読み出したピントのずれ量に基づいて、予め設定された撮影距離にピント調整するためのフォーカス調整量を補正し、補正したフォーカス調整量を撮影制御部５４に送出する。撮影制御部５４は、補正されたフォーカス調整量に従ってレンズ駆動部５３により撮影光学系５１を駆動する(ステップＳ３４)。
【００３４】
また、制御部１００は、検出温度が所定の閾値以上でないと判断した場合には(ステップＳ３２:Ｎ)、撮影制御部５４に対して設定された撮影距離にピント調整するフォーカス調整量を送出し、撮影制御部５４はそのフォーカス調整量に従ってレンズ駆動部５３により撮影光学系５１を駆動する(ステップＳ３５)。
【００３５】
なお、制御部１００は、ステップＳ３１においてマニュアル撮影モードが選択されなかった場合には(ステップＳ３１:Ｎ)、撮影モードの状態で待機する。
【００３６】
上述した第２の実施形態では、マニュアル撮影モードにおいて、温度上昇によりフォーカシング位置がずれてしまった場合でも、検出温度に応じたずれ量を補正することができるので、設定された撮影距離にピントを合わせた撮影を行うことができる。
【００３７】
尚、上述した実施形態では、プロジェクタ機能を備えたカメラを用いて説明したが、ＬＥＤ等の発熱部材を筐体内に備えた電子機器であればカメラに限らない。
【００３８】
また、上述した実施形態では、ＬＥＤ３２が筐体３の前カバー４の内面に密着して配置されているものとして説明したが、前カバー４の内面とＬＥＤ３２の放熱面と接触するようにＬＥＤ３２の熱を伝導する伝熱部材を配置するようにしてもよいし、ＬＥＤ３２又は前記伝熱部材が後カバー６の内面に接触するように配置されていてもよい。
【図面の簡単な説明】
【００３９】
【図１】第１の実施形態に係るカメラの外観を示す斜視図である。
【図２】第１の実施形態に係るカメラの背面図である。
【図３】第１の実施形態の筐体内の各ユニットの配置位置を示す概略図である。
【図４】第１の実施形態に係るカメラのＡ−Ａ断面図である。
【図５】第１の実施形態に係るカメラのシステムブロック図である。
【図６】第１の実施形態に係るカメラの投影処理を示す動作フロー図である。
【図７】第１の実施形態に係るカメラの遠景撮影モードにおけるフォーカス調整処理を示す動作フロー図である。
【図８】第２の実施形態に係るカメラのマニュアル撮影モードにおけるフォーカス調整処理を示す動作フロー図である。
【符号の説明】
【００４０】
２…カメラ、４…前カバー、６…後カバー、８…撮影窓、１０…プロジェクタ投影窓、１８…モード切替ボタン、２２…液晶ディスプレイ、３０…プロジェクタユニット、３１…液晶パネル、３２…ＬＥＤ、３３…投影光学系、３４…投影制御部、４０…温度センサ、５０…撮像ユニット、５１…撮像素子、５２…撮影光学系、５３…レンズ駆動部、５４…撮像制御部、１００…制御部
【図１】
2010091997.tif 000003
【図２】
2010091997.tif 000004
【図３】
2010091997.tif 000005
【図４】
2010091997.tif 000006
【図５】
2010091997.tif 000007
【図６】
2010091997.tif 000008
【図７】
2010091997.tif 000009
【図８】
2010091997.tif 000010